(57)【要約】【課題】使用者に関する情報を簡単な操作により確実に相手先に伝達する通信端末を提供すること。【解決手段】優先順位を付した複数の電話番号を短縮ダイヤルボタンごとに記憶し、優先順位の末尾にはメール送信先を記憶する。短縮ダイヤルボタンが操作されると、操作された短縮ダイヤルボタンに対応する電話番号の筆頭優先順位を選択すると共に当該電話番号に発信を行う。通話が成功しなかった場合には、発信した優先順位の次の優先順位を選択して対応する電話番号に発信を行い、さらに選択する優先順位が末尾に達した場合には記憶したメール送信先にメールを送信するよう制御する通信端末。【選択図】  図４
2004260476.tif 000002
【特許請求の範囲】
【請求項１】
短縮ダイヤルボタンと、優先順位を付した複数の電話番号を短縮ダイヤルボタンに対応させて記憶し、前記優先順位の末尾にはメール送信先を記憶する記憶手段と、前記短縮ダイヤルボタンが操作されると前記記憶手段を参照し対応する電話番号の筆頭優先順位を選択すると共に当該電話番号に対し通信ネットワークを介して発信を行うとともに、前記通信ネットワークからの当該発信に対する応答を待ち、所定時間以上応答が得られなかった場合には、発信した優先順位の次の優先順位を選択して対応する電話番号に発信を行い、さらに選択する優先順位が末尾に達した場合には前記メール送信先にメールを送信するよう制御する制御手段を備えることを特徴とする通信端末。
【請求項２】
前記制御手段は、選択する優先順位が末尾に達してメールを送信する際に、位置情報を付加して送信するよう制御することを特徴とする請求項１に記載の通信端末。
【請求項３】
前記記憶手段に優先順位ごとにガイダンスをさらに記憶し、前記制御手段は、発信を行う時に、選択する優先順位を参照して前記ガイダンスにより発信先を報知するよう制御することを特徴とする請求項１または２に記載の通信端末。
【請求項４】
前記記憶手段にメール送信専用ガイダンスをさらに記憶し、前記制御手段は、選択する優先順位が末尾に達してメールを送信する際には、前記メール送信専用ガイダンスにて報知するよう制御することを特徴とする請求項１から３いずれかに記載の通信端末。
【発明の詳細な説明】
【０００１】
【発明の属する技術分野】本発明は、一つのキーに対して複数の宛先を備え、簡単な発信操作により、使用者の希望する相手に何らかの連絡を行うことが可能な通信端末に関する。
【０００２】
【従来技術】現在、幅広く電話機が普及している。使用者にとって電話をかけるときに相手が必ず応答してくれることが非常に好ましいが、実際は使用者の希望通りに相手が出てくれるとは限らない。そういった場合において、使用者は所望の相手がいると思われるところに電話をかけ直すことが多々あった。そのとき、使用者は電話帳を検索し直し、再び電話をかけるという作業を繰り返す必要がある。こういった問題を解消するために、特許文献１に示される電話装置が提案されている。
【０００３】
特許文献１に示される電話装置は、短縮ダイヤルボタンにあらかじめ複数の電話番号を登録しておき、短縮ダイヤルボタンが使用者に押下された場合にはまず電話番号の１つを読出して発信を行い、このときに相手が応答しなかった場合には同じ短縮ダイヤルボタンに登録された、他の発信先を読み出してダイヤル発信を行うものである。
【０００４】
図５を用い、この特許文献１に示される電話装置の動作を説明する。あらかじめ一つの短縮番号に対し、優先順位を決めた上で複数件の相手先電話番号を登録しておく。その上で、短縮ダイヤルボタンを押下すると（Ｓ５０１）、筆頭優先順位の電話番号を読出し（Ｓ５０２）、この電話番号を用いて公衆電話回線へ発信を行う（Ｓ５０３）。そして、通話成立したか否か判断する（Ｓ５０４）。通話ができたならば（Ｓ５０４でＹｅｓ）、この発信動作は完了する。
【０００５】
通話できなかった場合（Ｓ５０４でＮｏ）、この短縮ダイヤルボタンに他に登録された電話番号があるか否か判断する（Ｓ５０５）。他に登録された電話番号があるならば（Ｓ５０５でＹｅｓ）、次の優先順位の電話番号を読出し（Ｓ５０６）、Ｓ５０３以降の発信処理を行う。なお、Ｓ５０５において既に発信を行った電話番号の他に登録された電話番号がなかった場合には（Ｓ５０５でＮｏ）、筆頭優先順位の電話番号に読出しを戻してＳ５０２以降の処理を行う。
【０００６】
【特許文献１】
特開平６−９７９９６
【０００７】
【発明が解決しようとする課題】
上述した特許文献１におけるような電話装置においては、使用者が発信操作を行っても相手が応答しなかった場合には次の優先順位番号に発信を繰り返すこととなる。そして、短縮ダイヤルボタンに登録された優先順位の最後まで発信を行ったにもかかわらず相手の応答が得られなかった場合には、優先順位の筆頭に戻り再び発信のルーチンを繰り返す。すなわち、登録された優先順位の順に一通り発信を終えた後、もう一度優先順位筆頭に戻り同じように発信をすることとなり、ひいては同一の相手先に対し所定時間（押下した短縮ダイヤルボタンに登録した相手先への発信が一巡する時間）おきに発信を繰り返すこととなる。
【０００８】
この状態において、使用者は相手が応答に出るまでしばらく待つこととなるが、一度発信を行って応答の得られなかった相手先に対し、短時間のうちに再び発信を行ったとしてもたいていの場合は応答が得られず、結局は使用者が通話をあきらめてオンフックすることが多々見受けられ、使用者の貴重な時間を浪費するばかりでなく、使用者にとって伝えるべき情報を相手先に伝えることなく発信動作を諦めてしまうことになっていた。
【０００９】
本発明は上述の点に鑑みてなされたもので、使用者に関する情報を簡単な操作により確実に相手先に伝達することを可能とした通信端末を提供することを目的とする。
【００１０】
【課題を解決するための手段】
本発明の通信端末は、これらの課題を解決するためのものであり、短縮ダイヤルボタンと、優先順位を付した複数の電話番号を短縮ダイヤルボタンに対応させて記憶し、優先順位の末尾にはメール送信先を記憶する記憶手段と、短縮ダイヤルボタンが操作されると記憶手段を参照し対応する電話番号の筆頭優先順位を選択すると共に当該電話番号に対し通信ネットワークを介して発信を行うとともに、通信ネットワークからの当該発信に対する応答を待ち、所定時間以上応答が得られなかった場合には、発信した優先順位の次の優先順位を選択して対応する電話番号に発信を行い、さらに選択する優先順位が末尾に達した場合にはメール送信先にメールを送信するよう制御する制御手段を備える。
【００１１】
また本発明の通信端末は、制御手段は選択する優先順位が末尾に達してメールを送信する際に、位置情報を付加して送信するよう制御することが好ましい。
【００１２】
また本発明の通信端末は、記憶手段に優先順位ごとにガイダンスをさらに記憶し、制御手段は、発信を行う時に、選択する優先順位を参照してガイダンスにより発信先を報知するよう制御することが好ましい。
【００１３】
さらに本発明の通信端末は、記憶手段にメール送信専用ガイダンスをさらに記憶し、前記制御手段は、選択する優先順位が末尾に達してメールを送信する際には、メール送信専用ガイダンスにて報知するよう制御することが好ましい。
【００１４】
【発明の実施の形態】以下本発明の通信端末の実施の形態について携帯電話機を例に図面を用いて説明する。図１は本発明の携帯電話機１０１の基本構成について示すブロック図である。無線アンテナ１０２および無線送受信部１０３は無線基地局２００を介し、特に図示しない通信ネットワークに接続するための電波を送受する手段である。また、ＧＰＳアンテナ１０４およびＧＰＳ送受信部１０５は人工衛星３００から位置情報に関するＧＰＳデータを取得するための手段である。キー操作部１０６は複数のキーで構成されており、図２に示すキー１から５を備える。キー１から５には発信すべき相手ごとの短縮ダイヤルボタンのとして配されており、使用者が一つを押下することにより、所望の相手に電話がかけられるよう構成されている。
【００１５】
表示部１０７は携帯電話機１０１の状態により点滅したり、発光色を変更したりするＬＥＤなどで構成されている。当然ながら液晶などの表示デバイスで構成してもよい。マイク１０８およびスピーカ１０９は通話を行う際などに用いられる音声を入出力する手段である。制御部１１０は無線送受信部１０３やＧＰＳ送受信部１０５の制御や発信／着信、送信／受信の処理、また通信ネットワークから得た情報をメモリ１１１に格納したりする処理を行う。メモリ１１１は各種情報の格納のみでなく、制御部１１０が各種制御を行う際のプログラムの格納およびワークスペースとしても機能する。
【００１６】
なお、ＧＰＳとは「Ｇｌｏｂａｌ    Ｐｏｓｉｔｉｏｎｉｎｇ    Ｓｙｓｔｅｍ」の略であり、人工衛星を用いた位置情報提供サービスのことである。以下に携帯電話機１０１における位置情報の取得手順の一例について説明する。まず、携帯電話機１０１は、人工衛星３００からＧＰＳデータをＧＰＳアンテナ１０４およびＧＰＳ送受信部１０５を用いて受信すると制御部１１０の制御下のもとメモリ１１１に格納する。このＧＰＳデータは定期的に受信され、更新される。次に、制御部１１０は無線送受信部１０３および無線アンテナ１０２により通信ネットワークに接続し、位置情報センター（特に図示しない）にＧＰＳデータを送信する。位置情報センターでは受信したＧＰＳデータをもとに計算を行い、例えば緯度経度や住所といった位置情報として変換した上で携帯電話機１０１に返信する。携帯電話機１０１の制御部１１１では、位置情報を受信するとこれをメモリ１１１に格納し、位置情報の取得を完了する。このような手順により携帯電話機１０１は位置情報を取得することが出来る。
【００１７】
なお、位置情報の取得手順としては、ＧＰＳを用いなくても、３箇所以上の基地局と並行して無線接続を行うＣＤＭＡ方式などの携帯電話機であれば、基地局ごとの住所の情報や各基地局との無線状態に基づく距離を用いて三点測量の要領で、自己の携帯電話機の位置情報を演算して割り出すことの出来るものもある。さらにはこの演算処理を通信ネットワークに接続された装置により行い、通信ネットワークを介して携帯電話機に位置情報を送付する方式もある。
【００１８】
次に図２および図３を用いて、本発明における携帯電話機１０１の短縮ダイヤルに関する構成を説明する。図２は携帯電話機１０１の外観図であり表示部１０７、マイク１０８、スピーカ１０９の他に、それぞれ複数の宛先が登録された短縮ダイヤルキー１〜５が配され、それぞれのキーには登録内容ごとに登録名が記されている。
【００１９】
図３（Ａ）は短縮ダイヤルキーごとのメモリ１１１内部における管理テーブルである。キー番号「１」にはキー１に記された「太郎」がキー登録名として登録されており、ここには４件の宛先が登録されている。使用者がキー１を押下した際には制御部１１０の制御により、このテーブルのキー番号「１」を参照して宛先を決定し、発信を行うよう対応付けられている。この宛先にはそれぞれ優先順位が付されており、優先順位「０」番として「０４５１２３４５６７」という電話番号が登録されている。さらにこの宛先に対応付けて「自宅電話」という音声がガイダンスに用いる名前として登録されている。なお、ガイダンスについては後述する。優先順位「１」番と「２」番についても、優先順位「０」番と同様にそれぞれ電話番号および音声が登録されている。
【００２０】
そして、キー１（キー登録名「太郎」）に関する優先順位末尾となる優先順位「３」番には「ｔａｒｏ＠ｋｅｉｔａｉ．ｎｅ．ｊｐ」というメールアドレスが登録されている。このメールドレスは太郎さんの携帯電話のメールアドレスであり、ガイダンスに用いる名前としても「太郎さんの携帯電話」として音声が登録されている。
【００２１】
また、他のキー２から５についてもキー１の時と同様に、それぞれ「長男」「長女」「花子」「病院」とキー登録名が与えられると共に優先順位を付した宛先およびガイダンスが登録されている。なお、各キーの優先順位末尾の宛先としてはメールアドレスを必ず登録する。
【００２２】
この管理テーブルへの登録については、販売店等で購入者の希望する相手先をあらかじめ登録するように構成してもよい。宛先を管理テーブルに登録する際、メモリ１１１への宛先の登録が行われたと検出されると、制御部１１０は書き込まれた宛先の優先順位末尾をチェックしメールアドレスでないと検出された場合には警告音を鳴らす。メールアドレスの検出は、登録された宛先の１文字目から最後の文字までに「＠」が含まれているか否かを判別し、含まれている場合はメールアドレスの登録、含まれていなかった場合はメールアドレス以外が登録されたと判断するよう構成してもよい。また、メモリ１１１に新たに宛先を追加する場合には、メールアドレスの登録された優先順位末尾の番号を一つ繰り下げ、新たな優先順位末尾から一つ前の番号に対して宛先を新規登録するように制御部１１０が制御する。
【００２３】
図３（Ｂ）は音声ガイダンスを行う際のガイダンス内容を登録したテーブルであり、メモリ１１１に記憶されている。メッセージ番号Ｍ１からＭ２についてそれぞれ一つずつメッセージの音声が登録されている。なお、ガイダンス中の「」で区切られた空欄には、図３（Ａ）の管理テーブルにおける、「ガイダンスに用いる名前」を発信先に応じて読み出して合成して送出するよう制御部１１０により制御する。合成するガイダンスの名前は、ガイダンスの送出時に選択されていた優先順位番号に関する名前を用いる。ガイダンスの送出については後述する。
【００２４】
次に、上述した管理テーブルを用いた発信時の制御部１１０の処理について、図１と図４を用い、高齢の女性使用者が迷子になってしまった場合を例に説明する。自分の居所がわからなくなってしまい、夫である太郎に連絡をとりたい場合には本発明の携帯電話機１０１のキー１を押下する（Ｓ４０１）。制御部１１０は図３（Ａ）の管理テーブルから押下されたキー１に応じた宛先を参照し、発信動作に移行する（Ｓ４０２）。ここで制御部１１０はカウントを開始する。まずカウンタ値をＮ＝０とし、キー登録名「太郎」に関する管理テーブルの優先順位「０」番を選択し、その登録内容を読み出すともに優先順位の末尾である「３」をＮｍａｘとしてメモリ１１１に記憶する（Ｓ４０３）。
【００２５】
次にＮの値が優先順位末尾（Ｎｍａｘ）の「３」であるか否かを判断する（Ｓ４０４）。ここでは現在選択中の優先順位は末尾ではないため（Ｓ４０５Ｎｏ）、次にＮの値が筆頭優先順位「０」であるか否かを判断する（Ｓ４０５）。現在選択中の宛先は筆頭優先順位であるため（Ｓ４０５Ｙｅｓ）、初発信用ガイダンス（図３に示すＭ１）をスピーカ１０９から流す（Ｓ４０６）。なお、ガイダンス中の「」で区切られた空欄に図３（Ａ）における「太郎」の優先順位番号０に対応するガイダンスに用いる名称「自宅電話」を読み出して合成し、「自宅電話に電話します」というガイダンスにして流す。ガイダンスを流し終えると、読み出している優先順位「０」番に関する宛先「０４５１２３４５６７」を指定し、通信ネットワークに対し発信する（Ｓ４０８）。さらに制御部１１０は発信を行うと、タイマ（特に図示しない）をスタートさせ、所定時間（例えば３０秒間）通信ネットワーク側からの当該発信に対する応答信号待ちを行い、通話が確立したか否かを判断する（Ｓ４０９）。
【００２６】
ここで、夫が在宅であり電話に出た場合、つまり３０秒以内に通信ネットワーク側から夫が当該発信に対してオフフックした旨の応答信号が得られた場合（Ｓ４０９Ｙｅｓ）、通話を行い（Ｓ４１０）、使用者は通話により自己の所在を連絡することができる。しかし、不在等により通話が出来なかった場合、つまり３０秒間相手からの応答信号が到来しなかった場合には（４０９Ｎｏ）、失敗用のガイダンスＭ２を送出して使用者に通話がおこなえなかった旨通知し（Ｓ４１１）、Ｎの値をカウントアップ（Ｎ＝１）すると共に優先順位「１」番を選択してその登録内容を読み出し（Ｓ４１２）、Ｓ４０４に移行する。Ｓ４０４ではまだＮの値が「３」ではないため（Ｓ４０４Ｎｏ）、Ｓ４０５に移行するが、今度はＮの値が「０」でない、つまり初発信ではないため（Ｓ４０５Ｎｏ）、次発信用ガイダンスＭ３を読出し、優先順位「１」番に対応する「太郎さんの職場」という名前を挿入したガイダンスＭ３をスピーカ１０９より送出し、太郎さんの職場に向けて電話をかけなおしている旨使用者に通知する（Ｓ４０７）。
【００２７】
Ｓ４０８では選択中の優先順位に応じた宛先「０４５２３４５６７８」に発信を行い、優先順位「０」の場合と同じ処理を行う（Ｓ４０８、Ｓ４０９）。ここで、優先順位「１」についても優先順位「０」の場合と同様に通話が出来なかった場合は、同様のルーチンで優先順位「２」を選択し、優先順位「２」でも通話が出来なかった場合は優先順位「３」を選択してＳ４０４に返ってくることとなる。
【００２８】
優先順位「３」が選択されている場合、Ｓ４０４ではＮの値が優先順位末尾（Ｎｍａｘ）の「３」であるため（Ｓ４０４Ｙｅｓ）、Ｓ４１３に移行する。次にメール用ガイダンスとしてＭ４を読出し、選択中の優先順位「３」に応じた名前「太郎さんの携帯電話」を読出してＭ４に挿入してスピーカ１０９から送出し、登録した電話番号へ一通り発信したが通話できなかったために現在位置をメールで連絡しておく旨を使用者に通知する（Ｓ４１３）。そして、前述したようにＧＰＳ衛星から取得しているＧＰＳデータをメモリ１１１から読み出し、通信ネットワークを介して位置情報センターに接続すると共に送信し、位置情報センターから位置情報を取得する（Ｓ４１４）。この間、スピーカ１０９からは位置情報取得中である旨の音声を送出させたり、ＬＥＤなどで構成された表示部１０７を点滅、点灯させたりして使用者に位置情報取得中である事を認識させれば使用者が待ち時間の間不安になることを軽減できる。
【００２９】
位置情報を取得すると、「ｔａｒｏ＠ｋｅｉｔａｉ．ｎｅ．ｊｐ」を宛先とした電子メールに位置情報を付加し（Ｓ４１５）、送信する（Ｓ４１６）。送信が完了すると一連の動作を終了する。例えば、位置情報として「横浜市都筑区加賀原」という位置情報を取得したならば、「ｔａｒｏ＠ｋｅｉｔａｉ．ｎｅ．ｊｐ」を宛先として、あらかじめメモリ１１１に記憶しておいた「わたしは今、ここにいます。電話しましたがつながりませんでしたので、この電子メールを見たら電話して下さい。」というテキスト文に付加し、電子メール送信する。これにより、太郎さんとしては自分の携帯電話あてに来たメールを見て、自分の妻（本発明の通信端末使用者）が、居所がわからなくなって困っていることがわかり、妻に急ぎ電話をかけることとなる。
【００３０】
以上により、一つの短縮ダイヤルボタンを押下するだけで、優先順位に応じて通話が成功するまで順次自動で発呼を行うことが可能となるだけでなく、短縮ダイヤルボタンに対応記憶する複数の宛先情報ごとの末尾に必ず電子メールアドレスを記憶し、この宛先にメールするよう構成したことにより、登録電話番号全てに対して発信を行ったにもかかわらず、通話が行えなかった場合にも、短時間で確実に所望の相手先に使用者の状態を通知することが可能となる。
【００３１】
また、複数宛先への電話発信が一巡すると、位置情報を付加した電子メールを送信するため、使用者の位置を所望の相手に通知することが可能となる。
【００３２】
また、優先順位ごとの発信先を変更している際にもガイダンスにより、誰に発信しているのかが使用者にもわかり、通話が行えなくて携帯電話機１０１が何度も発信を試行していることに関しても、宛先を変更して接続を行いなおしていると理解することが出来る。
【００３３】
さらに、発信を行うごとにガイダンスに変化を付けているため、使用者にとっては正常に動作していることが確認でき、接続待ちが続いたとしても不安にならずに済む事となる。
【００３４】
なお、以上のように本発明の実施例について携帯電話機を用いて説明したが、本発明は携帯電話機だけでなく、ＰＨＳや通信機能を有した電子手帳など、通信端末全般に利用可能であることは言うまでもない。
【００３５】
【発明の効果】本発明によれば、使用者に関する情報を簡単な操作により確実に相手先に伝達することが可能となる。
【００３６】
【図面の簡単な説明】
【図１】本発明による通信端末を説明するための構成例を示すブロック図である。
【図２】本発明による通信端末の外観を示す図である。
【図３】本発明によるメモリ内部のデータ管理に関するテーブルを示す図である。
【図４】本発明による通信端末の制御に関するフローチャートである。
【図５】従来の電話機の制御に関するフローチャートである。
【符号の説明】
１０１                                                携帯電話機
１０２                                                無線アンテナ
１０３                                    無線送受信部
１０４                        ＧＰＳアンテナ
１０５                                            ＧＰＳ送受信部
１０６                                              キー操作部
１０７                                                表示部
１０８                                                マイク
１０９                                                スピーカ
１１０                                                制御部表示部
１１１                                                メモリ
【図１】
2004260476.tif 000003
【図２】
2004260476.tif 000004
【図３】
2004260476.tif 000005
【図４】
2004260476.tif 000006
【図５】
2004260476.tif 000007